(57)【特許請求の範囲】
【請求項１】
溶接用ワイヤを引き出すための回転式引き出し装置にボビン巻き溶接用ワイヤのカバーを取り付け、前記カバーに前記溶接ワイヤを挿通させる貫通孔を設け、前記溶接用ワイヤの引き出しにより回転式引き出し装置とともに前記カバーが回転することを特徴とするボビン巻き溶接用ワイヤ装置。
【請求項２】
カバーが、平板である請求項１に記載のボビン巻き溶接用ワイヤ装置。
【請求項３】
カバーが、中央部から外側に傾斜がついている請求項１に記載のボビン巻き溶接用ワイヤ装置。
【請求項４】
カバーが、その断面形状において屈曲部を有し、その外側には下向きの覆いを有する請求項１に記載のボビン巻き溶接用ワイヤ装置。
【請求項５】
捩りを与えながら溶接用ワイヤをボビンの内層から外層へ順次巻いた請求項１から４に記載のボビン巻き溶接用ワイヤ装置。
【請求項６】
請求項１から５のいずれかに記載のボビン巻き溶接用ワイヤ装置と、前記溶接用ワイヤを引き出すワイヤ送給装置と、前記引き出された溶接用ワイヤを被溶接物の溶接箇所に送る溶接用トーチと、前記溶接用ワイヤと被溶接物との間に溶接電流を供給するための溶接電源とを設けた溶接装置。
【発明の詳細な説明】
【０００１】
【発明の属する技術分野】
この発明は、ボビン巻き溶接用ワイヤ装置と、これを使用する溶接装置に関するものである。
【０００２】
【従来の技術】
従来、ボビン巻き溶接用ワイヤのカバーは、ボビンおよび引き出し装置の一部を筒状のカバーで覆ったり、ボビンおよび引き出し装置全体を覆ったりするものであり、引き出し装置はボビンフランジの外側にワイヤ引出口があるため、カバーの径はボビンのフランジ径と比べ大きく、大きな設置面積を必要とした。また、ボビン同様ワイヤ引き出し時に回転しないものであった。
【０００３】
このボビン巻き溶接用ワイヤのカバーの溶接用ワイヤの回転式引き出し装置を用いて溶接する一般的なボビンおよび装置および方法について、図９および図１０および図１１を用いて説明する。
【０００４】
ここで図９は従来のボビン巻き溶接用ワイヤのカバー、一般的なボビン巻き溶接用ワイヤおよびワイヤの回転式引き出し装置を示した図で、（ａ）は平面図、（ｂ）は断面図であり、図１０は従来の別のボビン巻き溶接用ワイヤのカバー、一般的なボビン巻き溶接用ワイヤおよびワイヤの回転式引き出し装置を示した図で、（ａ）は平面図、（ｂ）は要部を破断した正面図であり、図１１は従来のボビン巻き溶接用ワイヤのカバー、一般的なボビン巻き溶接用ワイヤおよびワイヤの回転式引き出し装置を用いた一般的な溶接装置の概略を示した図である。
【０００５】
さらに図９において、１はボビン、２および２ａは溶接用ワイヤ、３および３ａは回転自在部、４は引き出し装置回転部、５はワイヤ通過部、６はボビン胴部、７はワイヤ送給チューブ、８は回転式引き出し装置とワイヤ送給チュ−ブを接続しワイヤ通過部から溶接用ワイヤを出す部分、９は溶接用ワイヤを送り出す方向、１４はワイヤ引出口、１５ａおよび１５ｂはボビンフランジ、１６はワイヤ送り方向、１７および１７ａは引き出し装置回転部回転方向、２０ａおよび２０ｂはボビンフランジ部穴、３１は従来のカバーを示す。
【０００６】
さらに図１０において、３２は従来の別のカバーを示したもので、図９と同一構成には同一符号を付して重複する説明は省略する。
【０００７】
さらに図１１は１０はワイヤ送給装置、１１は溶接用トーチ、１２は被溶接物、１３は溶接電源、１８は溶接用チップを示したもので、図９および図１０と同一構成には同一符号を付して重複する説明は省略する。
【０００８】
次に図９を用いて従来のボビン巻き溶接用ワイヤのカバーおよびボビン巻き溶接用ワイヤおよびワイヤの回転式引き出し装置について説明する。
【０００９】
カバー３１は、紙製または樹脂製の筒であり、その内径は引き出し装置回転部４の周回径より大きく、ボビン１とカバー３１との中心をあわせるための治具３３を有している。
【００１０】
最初に、溶接用ワイヤ２が巻かれたボビン１を、一方のフランジを下にして設置する。さらに回転自在部３をボビン１の上側フランジの中心付近に固定する。この回転自在部３に引き出し装置回転部４を取り付け、ボビン１と引き出し装置回転部４は回転自在部３を介して互いに自在に回転しあうようにする。
【００１１】
ここでボビン１は溶接用ワイヤが巻かれていて非常に重く、引き出し装置回転部４は軽く、引き出し装置回転部４のみが回転するようになっており、引き出し装置回転部４は引き出し装置回転部回転方向１７、１７ａの方向に自在に回転できるようにしている。
【００１２】
さらにワイヤ通過部５を引き出し装置回転部４に固定し、引き出し装置回転部４と一体で回転させる。このワイヤ通過部５は、内部にワイヤを通過させる筒状のものであり、内部に通すワイヤの屈曲防止と絶縁のために用いる。
【００１３】
一例として、コイル状に巻かれた鋼の外側にポリオレフィンの熱収縮チュ−ブを全長被覆したものなどを使用する。
【００１４】
また引き出し装置回転部４の上側端部とワイヤ通過部５の上側端部は、一体にして回転自在部３ａに取り付ける。この回転自在部３ａは、回転自在部３と同様の構造である。
【００１５】
さらにワイヤ送給チューブ７を、回転式引き出し装置とワイヤ送給チュ−ブを接続しワイヤ通過部から溶接用ワイヤを出す部分８とともに回転自在部３ａに取り付ける。これにより引き出し装置回転部４およびワイヤ通過部５と、ワイヤ送給チューブ７は回転自在部３ａを介して互いに自在に回転しあう。
【００１６】
この時、引き出し装置回転部４およびワイヤ通過部５は、上下の回転自在部３および３ａのそれぞれの回転中心を結ぶ直線を回転軸として回転する。ここで回転自在部３および３ａは、具体的にはベアリングなどを使用する。
【００１７】
これらの構成で、ボビン１に巻かれた溶接用ワイヤ２を、ボビン１外周上のワイヤ引出口１４から引き出し、ワイヤ通過部５を通過させ、ワイヤ送給チューブ７を通過させる。
【００１８】
以上の構成により、ワイヤ送り方向１６の方向に溶接用ワイヤ２を送ると、ワイヤ通過部５は自然にボビン１の外周上を引き出し装置回転部回転方向１７、１７ａの方向に回り、順次引き出すことができる。カバー３１はボビン１との中心をあわせる治具３３を用いボビンおよび回転式引き出し装置の外側に設置する。
【００１９】
以上が、一般的なボビン巻き溶接用ワイヤのカバーおよびボビン巻き溶接用ワイヤおよびワイヤの回転式引き出し装置についての説明である。
【００２０】
次に、図１０を用いて従来のボビン巻き溶接用ワイヤのカバーについて説明する。
【００２１】
カバー３２は、紙製または樹脂製の筒および傘状のふたであり、その筒部内径は引き出し装置回転部４の周回径より大きく、傘状のふたは回転式引き出し装置の上部に位置する回転しない溶接用ワイヤを出す部分８に取り付けられる。
【００２２】
ボビンおよび回転式引き出し装置については、図９と同じであるので省略する。
【００２３】
次に、図１１を用いてボビン巻き溶接用ワイヤのカバーを用いて溶接する一般的な装置および方法について説明する。まず、ワイヤ送給チューブ７は、回転式引き出し装置とワイヤ送給チュ−ブを接続しワイヤ通過部から溶接用ワイヤを出す部分８からワイヤ送給装置１０の手前まで続かせる。さらに溶接用ワイヤ２をワイヤ送給チューブ７の内部を通過させ、ワイヤ送給装置１０を経て溶接用トーチ１１の先端まで導く。そして溶接用トーチ１１の先端には筒状の溶接用チップ１９が設置されており、溶接用ワイヤ２を溶接用チップ１９の先端から出して溶接位置を狙うようにする。
【００２４】
さらにワイヤ送給装置１０を駆動して、露出した溶接用ワイヤ２ｂを送り出す。このワイヤ送給装置１０は、溶接実行時に連動して駆動を行なうようにし、同時に溶接電源１３は、溶接用ワイヤ２と被溶接物１２間に所定の電流、電圧をかけられるように設置する。
【００２５】
以上の構成により、溶接を実行すると、ワイヤ送給装置１０の駆動により、溶接用ワイヤ２をワイヤ送り方向１６の方向に引き出す。この動作により、ワイヤ通過部５はボビン１の外周上を引き出し装置回転部回転方向１７、１７ａの方向に回転し、溶接用ワイヤ２を順次引き出して行く。この時カバー３２の内径は引き出し装置回転部４の周回径より大きいため回転を阻害しない。
【００２６】
この引き出した溶接用ワイヤ２はワイヤ通過部５を通り、回転式引き出し装置とワイヤ送給チュ−ブを接続しワイヤ通過部から溶接用ワイヤを出す部分８で回転式引き出し装置から出て、引続きワイヤ送給チュ−ブ７を通り、ワイヤ送給装置１０を経て、溶接用トーチ１１の先端まで導かれる。
【００２７】
さらにトーチ先端の溶接用チップ１９の先端から出された溶接用ワイヤ２が溶接の狙い位置にくるように送給させる。そして、溶接用ワイヤ２と被溶接物１２間に、溶接電源１３により所定の電流、電圧がかけられ溶接用ワイヤ２と被溶接物１２間にア−クが発生して両者が溶接される。以上が、一般的な溶接用ワイヤの回転式引き出し装置を用いて溶接する、一般的な装置および方法についての説明である。
【００２８】
【発明が解決しようとする課題】
しかしながら、上記従来の構成ではカバーの径が大きいと設置面積が大きくなり、狭い場所に置くことができない。また、図１２に示すように専用台車３４に溶接用ワイヤを載せ保管場所から溶接場所に移動し、専用台車３４に載せた状態で溶接中することがあるが、専用台車が大きくなると狭い通路を通ることができないという課題があった。
【００２９】
【課題を解決するための手段】
上記課題を解決するために本発明は、溶接用ワイヤを引き出すための回転式引き出し装置にボビン巻き溶接用ワイヤのカバーを取り付け、溶接用ワイヤの引き出しにより回転式引き出し装置とともに前記カバーが回転することを特徴とするものである。
【００３０】
【発明の実施の形態】
図１は本発明の実施の形態実施例１によるボビン巻き溶接用ワイヤ装置およびボビン巻き溶接用ワイヤおよびワイヤの回転式引き出し装置を示すもので、（ａ）は平面図、（ｂ）は要部を破断した正面図である。
【００３１】
図２は、本発明の実施の形態実施例２によるボビン巻き溶接用ワイヤ装置およびボビン巻き溶接用ワイヤおよびワイヤの回転式引き出し装置を示すもので、（ａ）は平面図、（ｂ）は要部を破断した正面図である。
【００３２】
図３は、本発明の実施の形態実施例３によるボビン巻き溶接用ワイヤ装置およびボビン巻き溶接用ワイヤおよびワイヤの回転式引き出し装置を示すもので、（ａ）は平面図、（ｂ）は要部を破断した正面図である。
【００３３】
図４は、本発明の実施の形態実施例４によるボビン巻き溶接用ワイヤ装置およびボビン巻き溶接用ワイヤおよびワイヤの回転式引き出し装置を示すもので、（ａ）は平面図、（ｂ）は要部を破断した正面図である。
【００３４】
図５は本発明の実施の形態実施例５によるボビン巻き溶接用ワイヤ装置およびボビン巻き溶接用ワイヤおよびワイヤの回転式引き出し装置を示すもので、（ａ）は平面図、（ｂ）は要部を破断した正面図である。
【００３５】
図６は本発明の実施の形態実施例６によるボビン巻き溶接用ワイヤ装置およびボビン巻き溶接用ワイヤおよびワイヤの回転式引き出し装置を示すもので、（ａ）は平面図、（ｂ）は要部を破断した正面図である。
【００３６】
図７は本発明の実施の形態実施例７によるボビン巻き溶接用ワイヤ装置およびボビン巻き溶接用ワイヤおよびワイヤの回転式引き出し装置示すもので、（ａ）は平面図、（ｂ）は要部を破断した正面図である。
【００３７】
図８は本発明の実施の形態によるボビン巻き溶接用ワイヤを用いた溶接装置を示すものである。
【００３８】
そして、これらの図面において、従来の構成と共通する部分については、同じ符号を付して、その説明を省略する。
【００３９】
検討を重ねたところ、埃が溶接用ワイヤ表面に付着するのを防止するために、ボビンの上部にカバーをすることが有効であることがわかった。
【００４０】
また、埃が少ないところでは、ワイヤ側面のカバーでワイヤ引出口がある上部に隙間があっても埃防止カバーとして充分機能することがわかった。
【００４１】
そこで、表１に示すボビン巻き溶接用ワイヤおよび表２に示すカバーを製作し、表３に示す場所に１週間保管した後、表４に示す方法と基準でワイヤ表面に付着した埃量を評価した。その結果を表５に示す。
【００４２】
実施例１では、溶接用ワイヤを引き出すための回転式引き出し装置に平板のボビン巻き溶接用ワイヤのカバー４０を取り付けている。このカバー４０により上部から落ちてくる埃が溶接用ワイヤ表面に付着することを防止することができた。
【００４３】
また、カバーは回転式引き出し装置に取り付けられているので、設置面積を増やすことがなく、さらに回転式引き出し装置を設置することで、同時にカバーを設置することになるので、容易にカバーを取り付けることができた。
【００４４】
実施例２では、溶接用ワイヤを引き出すための回転式引き出し装置に平板のボビン巻き溶接用ワイヤのカバー４１を取り付けている。このカバー４１により上部から落ちてくる埃が溶接用ワイヤ表面に付着することを防止することができた。
【００４５】
実施例３では、溶接用ワイヤを引き出すための回転式引き出し装置に平板のボビン巻き溶接用ワイヤのカバー４２を取り付けている。このカバー４２により上部から落ちてくる埃が溶接用ワイヤ表面に付着することを防止することができた。
【００４６】
また、カバーは回転式引き出し装置に取り付けられているので、設置面積を増やすことがなく、さらに回転式引き出し装置を設置することで、同時にカバーを設置することになるので、容易にカバーを取り付けることができた。
【００４７】
実施例４では、ボビン巻き溶接用ワイヤの外側に筒状のカバー３０を取り付けている。このカバー３０により周囲から飛んでくる埃が溶接用ワイヤ表面に付着することを防止することができた。
【００４８】
また、カバーの径は回転式引き出し装置のワイヤ引出口より小さいため設置面積をあまり増やすことがなかった。
【００４９】
実施例５では、溶接用ワイヤを引き出すための回転式引き出し装置に平板のボビン巻き溶接用ワイヤのカバー４０を取り付けている。さらに、ボビン巻き溶接用ワイヤの外側に筒状のカバー３０を取り付けている。このカバー４０により上部から落ちてくる埃が溶接用ワイヤ表面に付着することを防止することができ、カバー３０により周囲から飛んでくる埃が溶接用ワイヤ表面に付着することを防止することができた。また、カバーの一つは回転式引き出し装置に取り付けられているので、設置面積を増やすことがなく、さらに回転式引き出し装置を設置することで、同時にカバーを設置することになるので、容易にカバーを取り付けることができ、カバーのもう一つの径は回転式引き出し装置のワイヤ引出口より小さいため設置面積をあまり増やすことがなかった。
【００５０】
実施例６では、溶接用ワイヤを引き出すための回転式引き出し装置に平板のボビン巻き溶接用ワイヤのカバー４１を取り付けている。さらに、ボビン巻き溶接用ワイヤの外側に筒状のカバー３０を取り付けている。このカバー４１により上部から落ちてくる埃が溶接用ワイヤ表面に付着することを防止することができ、カバー３０により周囲から飛んでくる埃が溶接用ワイヤ表面に付着することを防止することができた。また、カバーの一つは回転式引き出し装置に取り付けられているので、設置面積を増やすことがなく、さらに回転式引き出し装置を設置することで、同時にカバーを設置することになるので、容易にカバーを取り付けることができ、カバーのもう一つの径は回転式引き出し装置のワイヤ引出口より小さいため設置面積をあまり増やすことがなかった。
【００５１】
実施例７では、溶接用ワイヤを引き出すための回転式引き出し装置に平板のボビン巻き溶接用ワイヤのカバー４２を取り付けている。さらに、ボビン巻き溶接用ワイヤの外側に筒状のカバー３０を取り付けている。このカバー４２により上部から落ちてくる埃が溶接用ワイヤ表面に付着することを防止することができ、カバー３０により周囲から飛んでくる埃が溶接用ワイヤ表面に付着することを防止することができた。また、カバーの一つは回転式引き出し装置に取り付けられているので、設置面積を増やすことがなく、さらに回転式引き出し装置を設置することで、同時にカバーを設置することになるので、容易にカバーを取り付けることができ、カバーのもう一つの径は回転式引き出し装置のワイヤ引出口より小さいため設置面積をあまり増やすことがなかった。
【００５２】
従来例１では、ボビン巻き溶接用ワイヤの外側に筒状のカバー３０を取り付けている。このカバー３０により周囲から飛んでくる埃が溶接用ワイヤ表面に付着することを防止することができた。しかしながら、カバーの径が大きく設置面積が大きくなった。
【００５３】
従来例２では、ボビン巻き溶接用ワイヤおよび回転式引き出し装置を覆うようにカバー３２を取り付けている。このカバー３２ににより、上部および周囲から飛んでくる埃が溶接用ワイヤ表面に付着することを防止することができた。しかしながら、カバーの径が大きく設置面積が大きくなった。
【００５４】
【表１】
0003952837.tif 000002
【００５５】
【表２】
0003952837.tif 000003
【００５６】
【表３】
0003952837.tif 000004
【００５７】
【表４】
0003952837.tif 000005
【００５８】
【表５】
0003952837.tif 000006
【００５９】
【発明の効果】
以上のように本発明のボビン巻き溶接用ワイヤ装置によれば、設置面積の小さいカバーで、設置面積が大きい従来のカバーとほぼ同等の埃防止機能が得られ、非常に容易にカバーを設置することができる。
【図面の簡単な説明】
【図１】本発明の実施例１によるボビン巻き溶接用ワイヤのカバーおよびボビン巻き溶接用ワイヤおよびワイヤの回転式引き出し装置
（ａ）は平面図
（ｂ）は要部を破断した正面図
【図２】本発明の実施例２によるボビン巻き溶接用ワイヤのカバーおよびボビン巻き溶接用ワイヤおよびワイヤの回転式引き出し装置
（ａ）は平面図
（ｂ）は要部を破断した正面図
【図３】本発明の実施例３によるボビン巻き溶接用ワイヤのカバーおよびボビン巻き溶接用ワイヤおよびワイヤの回転式引き出し装置
（ａ）は平面図
（ｂ）は要部を破断した正面図
【図４】本発明の実施例４によるボビン巻き溶接用ワイヤのカバーおよびボビン巻き溶接用ワイヤおよびワイヤの回転式引き出し装置
（ａ）は平面図
（ｂ）は要部を破断した正面図
【図５】本発明の実施例５によるボビン巻き溶接用ワイヤのカバーおよびボビン巻き溶接用ワイヤおよびワイヤの回転式引き出し装置
（ａ）は平面図
（ｂ）は要部を破断した正面図
【図６】本発明の実施例６によるボビン巻き溶接用ワイヤのカバーおよびボビン巻き溶接用ワイヤおよびワイヤの回転式引き出し装置
（ａ）は平面図
（ｂ）は要部を破断した正面図
【図７】本発明の実施例７によるボビン巻き溶接用ワイヤのカバーおよびボビン巻き溶接用ワイヤおよびワイヤの回転式引き出し装置
（ａ）は平面図
（ｂ）は要部を破断した正面図
【図８】本発明の実施の形態によるボビン巻き溶接用ワイヤを用いた溶接装置を示した図
【図９】従来のの実施の形態従来例１によるボビン巻き溶接用ワイヤのカバーおよびボビン巻き溶接用ワイヤおよびワイヤの回転式引き出し装置
（ａ）は平面図
（ｂ）は要部を破断した正面図
【図１０】従来のの実施の形態従来例２によるボビン巻き溶接用ワイヤのカバーおよびボビン巻き溶接用ワイヤおよびワイヤの回転式引き出し装置
（ａ）は平面図
（ｂ）は要部を破断した正面図
【図１１】従来の実施の形態によるボビン巻き溶接用ワイヤを用いた溶接装置を示した図
【図１２】一般的な溶接ワイヤの専用台車およびボビン巻き溶接用ワイヤのカバーおよびボビン巻き溶接用ワイヤおよびワイヤの回転式引き出し装置を示した要部を破断した正面図
【符号の説明】
１  ボビン
２、２ａ、２ｂ  溶接用ワイヤ
６  ボビン胴部
１０  ワイヤ送給装置
１１  溶接用ト−チ
１２  被溶接物
１３  溶接電源
【図１】
0003952837.tif 000007
【図２】
0003952837.tif 000008
【図３】
0003952837.tif 000009
【図４】
0003952837.tif 000010
【図５】
0003952837.tif 000011
【図６】
0003952837.tif 000012
【図７】
0003952837.tif 000013
【図８】
0003952837.tif 000014
【図９】
0003952837.tif 000015
【図１０】
0003952837.tif 000016
【図１１】
0003952837.tif 000017
【図１２】
0003952837.tif 000018